(57)【要約】      （修正有）【課題】天井等の固定性の支持体の疲弊の進行を遅くし、架台等の移動性の支持体の安定性を容易に保てるようにするような、サンドバッグ取付具を提供する。【解決手段】サンドバッグ取付具１のホルダ１１に設けられた円柱形状の空洞部に、球状の回動部１３ａとサンドバッグ２を付ける軸部１３ｂとからなる球軸体１３を配し、上下に移動可能な座金１４によって球軸体１３を支え、座金１４の下方に弾性体１５を備える。サンドバッグ２に加わる衝撃力の垂直方向成分を弾性体１５によって分散し、水平方向の成分を球軸体１３の回動によって吸収する。【選択図】図２
0003181634.tif 000002
【実用新案登録請求の範囲】
【請求項１】
内部に円柱形状の空洞部を有し、前記円柱形状の上底側において支持体に固定され、前記円柱形状の下底部に下板を有し、前記下板に底面略円形状の貫通孔を有するホルダと、
前記空洞部に配され、球を上側水平切断面及び下側水平切断面において切断した形状の回動部と、前記下側水平切断面から下方に伸びて前記貫通孔を貫通する軸部とを有する球軸体と、
その内側が前記回動部の下側に接合し、その外側が前記空洞部に接合し、上下に移動可能な座金と、
前記下板と前記座金との間に配される弾性体とを備え、
前記貫通孔の内径が、前記軸部の下端に結合されたサンドバッグへの衝撃力に基づいて前記軸部を移動させるために、前記軸部の外径よりも大きいことを特徴とする、サンドバッグ取付具。
【請求項２】
前記弾性体が、コイルバネであることを特徴とする、請求項１に記載のサンドバッグ取付具。
【請求項３】
前記ホルダ、前記球軸体及び前記座金がいずれも鉄製であることを特徴とする、請求項１又は２に記載のサンドバッグ取付具。
【考案の詳細な説明】
【技術分野】
【０００１】
本考案は、サンドバッグを吊るす支持体とサンドバッグとの間に設けられるサンドバッグ取付具に関するものである。
【背景技術】
【０００２】
サンドバッグは、天井、架台その他の支持体から吊るされて、使用される。サンドバッグを支持体から吊るすためには、鎖その他の取付具が用いられる。
使用にあったては、サンドバッグに加わる衝撃力が取付具を介して支持体に伝達される。このため、架台等の移動性の支持体では安定して支持できない、天井等の固定性の支持体では支持体の疲弊が進んでしまうという問題があった。
【０００３】
特許文献１には、堅固な構造で安定した架台が開示されている。しかし、特許文献１の技術は、架台自身の構造によって堅固な構造と安定とを実現するものであり、天井等の予め形状の定まった部分にサンドバッグを取り付ける場合に活用できるものではない。
【先行技術文献】
【特許文献】
【０００４】
【特許文献１】実用新案登録３０３２５７１号公報
【考案の概要】
【考案が解決しようとする課題】
【０００５】
解決しようとする課題は、天井等の固定性の支持体の疲弊の進行を遅くし、架台等の移動性の支持体の安定性を容易に保てるようにするような、サンドバッグ取付具を提供することである。
【課題を解決するための手段】
【０００６】
本考案のサンドバッグ取付具は、サンドバッグに加わる衝撃力を、支持体に伝達せずに逃がすこと又は支持体へ伝達される力の大きさ若しくは伝達される箇所を調整することによって、課題を解決する。
【０００７】
本考案のサンドバッグ取付具は、
内部に円柱形状の空洞部を有し、前記円柱形状の上底側において支持体に固定され、前記円柱形状の下底部に下板を有し、前記下板に底面略円形状の貫通孔を有するホルダと、
前記空洞部に配され、球を上側水平切断面及び下側水平切断面において切断した形状の回動部と、前記下側水平切断面から下方に伸びて前記貫通孔を貫通する軸部とを有する球軸体と、
その内側が前記回動部の下側に接合し、その外側が前記空洞部に接合し、上下に移動可能な座金と、
前記下板と前記座金との間に配される弾性体とを備え、
前記貫通孔の内径が、前記軸部の下端に結合されたサンドバッグへの衝撃力に基づいて前記軸部を移動させるために、前記軸部の外径よりも大きいことを特徴とする。
【０００８】
本考案のサンドバッグ取付具は、サンドバッグを球軸体の軸部の下に付けて使用するものである。サンドバッグに加わる衝撃力は、軸部に伝達される。衝撃力は垂直方向成分と水平方向成分を持つ。
垂直方向成分は、それが上向きであれば球軸体の軸部から回動部を介して支持体に伝達される。回動部はホルダの内部（空洞部内）にあるので、ホルダを空洞部の真上とは異なる箇所で支持体に固定すれば、支持体のホルダを固定している部分（接合部分）には大きな力は伝達されない。支持体の疲弊は接合部分に発生するものであるので、上向きの垂直方向成分による疲弊は小さい。
垂直方向成分が下向きであれば、球軸体の軸部から回動部に伝達され、回動部に下向きの力を発生させる。この力は、座金を介して回動部を支えている弾性体によって吸収される。弾性体から下板、ホルダを介して接合部分に伝達される力は、一時の強い衝撃力ではなく比較的長時間にわたる弱い力となる。ここで、「弾性体」としては、金属バネ、ウレタンリング、ゴム、その他のものを用いることができる。製造コストを勘案して弾性体を設計してもよい。
水平方向成分は、軸部を水平方向に移動させ、回動部に回転力を発生させる。回動部は座金と接合しており、座金に固定されていないので、座金に対して回動する。これによって、力はホルダ及び支持体に伝達されないようになる。
以上のとおり、支持体に伝達される衝撃力が小さくなる。このことは、支持体の疲弊を小さくするとともに、サンドバッグ自体の吊り部分の衝撃力による疲弊も小さくする効果がある。
【０００９】
本考案のサンドバッグ取付具は、
前記弾性体が、コイルバネであることを特徴とする。
【００１０】
衝撃力によってサンドバッグが垂直方向に大きく移動することは、ボクシング等の練習にとって好ましくない。垂直方向の移動を小さくするためには弾性体の弾性値（Ｎ／ｍｍ）が大きいことが好ましい。コイルバネは、３０Ｎ／ｍｍ以上の大きなバネ定数のものとすることができ、本考案のサンドバッグ取付具に適している。
なお、バネ定数の値は、衝撃力に対する移動及びサンドバッグの自重に対する支持力を考慮して定めることができる。
【００１１】
本考案のサンドバッグ取付具は、
前記ホルダ、前記球軸体及び前記座金がいずれも鉄製であることを特徴とする。
【００１２】
鉄製のものは、金型等による製造が容易である。また、球軸体の重量を大きくすることができ、衝撃力の上向き垂直方向成分による球軸体の移動を小さくすることができ、  支持体の負担を小さくすることができる。
【考案の効果】
【００１３】
本考案によれば、天井等の固定性の支持体の疲弊の進行を遅くし、架台等の移動性の支持体の安定性を容易に保てるようにするような、サンドバッグ取付具を提供することができる。
【図面の簡単な説明】
【００１４】
【図１】図１は、サンドバッグ取付具にサンドバッグを取付けた状態を示す図である。
【図２】図２は、サンドバッグ取付具及びサンドバッグの断面図である。
【図３】図３は、ホルダを上部から見た図である。
【図４】図４は、サンドバッグに加えられた衝撃力への対応を示す図である。
【考案を実施するための形態】
【００１５】
図１は、サンドバッグ取付具にサンドバッグを取付けた状態を示す図である。図は、下方から見た斜視図である。サンドバッグ取付具１の下方の貫通孔１２から球軸体の軸部１３ｂが下方に伸び、サンドバッグ２が軸部１３ｂに付けられている。
【００１６】
図２は、サンドバッグ取付具及びサンドバッグの断面図である。図はサンドバッグ取付具を垂直方向に切断した図である。サンドバッグ取付具１及びサンドバッグ２の形状は、支持体に取付けるための長方形の板部を除き、垂直な断面の方向に寄らずに同一形状（いわゆる回転体の形状）である。図２によって、サンドバッグ取付具１及びサンドバッグ２の形状が全て表されている。（固定のためのネジ等の小さな部品は無視して考えたものである。）
【００１７】
ホルダ１１は内部に円柱形状の空洞部を有し、その円柱形状の下に下板１１ａを有する。下板１１ａには貫通孔１２を有する。貫通孔１２は、図１に示されるように、底面略円形状である。
空洞部には、球軸体１３が配されている。球軸体１３は、図において回動部１３ａの上下の直線で表される上側水平切断面及び下側水平切断面において球を切断した形状の回動部１３ａと、軸部１３ｂとを有する。軸部１３ｂは、貫通孔１２を貫通して下方に伸び、サンドバッグ２が取付けられている。
【００１８】
ホルダ１１内部の円柱形状の空洞部には、座金１４及び弾性体１５も配されている。
座金１４は、その上部が回動部１３ａの球状の部分に接合して、回動部１３ａを、すなわち球軸体１３を、支えている。座金１４の側面はホルダ１１の空洞部の壁面に接し、座金１４は空洞部内を上下に移動することができる。
弾性体１５は、下板１１ａと座金１４との間に配され、座金１４を弾性的に保持している。弾性体１５はいかなるものであってもよいが、全体が１つのコイルバネであり、コイルの中心を軸体１３ｂが通っていることが好ましい。コイルの直径が５０ｍｍ程度のものとなり、大きなバネ定数のバネとすることができる。
本実施例においては、サンドバッグの自重が５０ｋｇ程度であり、この自重を支えるために、大きなバネ定数の弾性体としてコイルバネを用いている。サンドバッグの自重が小さくて例えば３０ｋｇ程度であれば、小さなバネ定数の弾性体を用いることができる。いずれの場合も、設計したバネ定数であれば、コイルバネ、ウレタンリング、ゴム、その他任意の材質の弾性体を用いることもできる。
【００１９】
ホルダ１１の上部には蓋１６がネジ止めされている。
図３は、ホルダを上部から見た図である。ホルダ１１は大半が回転体形状であるが、上端は回転体形状ではなく、支持体に取付けるための長方形の板部となっている。蓋１６がネジ１６ａによってホルダ１１に固定される。
長方形の板部には、取付孔１１ｂが設けられ、取付孔１１ｂにビスを貫通させる等の工事によって、ホルダ１１を支持体に取付ける。かかるビス等と支持体との接合部分の強度を維持することが課題となる。天井等の固定性の支持体の場合には接合部分の疲弊の進行を遅くすること、架台等の移動性の場合には接合部分に加わる衝撃力によって支持体の安定性を失わせないことが重要である。
【００２０】
パンチやキックの練習をすると、サンドバッグ２には、図２において矢印で示す衝撃力３が加わる。衝撃力３は、垂直方向成分３ａ及び水平方向成分３ｂを有する。なお、図２において垂直方向成分３ａは下向きであるが、上向きの可能性もある。
図４は、サンドバッグに加えられた衝撃力への対応を示す図である。（ａ）は、上向きの垂直方向成分への対応を示す。上向きの垂直方向成分に対しては、サンドバッグの自重によって弾性体１５が収縮している分は弾性体１５の伸張（収縮の解除）によって吸収され、これを超えた分について球軸体１３が上方に移動し、蓋１６によって止められる。この際、球軸体１３と蓋１６とは点でなく面で接しており、蓋１６の全体に一様な力が伝達される。接合部分（取付孔１１ｂに貫通されたビス等）に大きな力が加わるものではない。
この際、球軸体１３の質量が大きければその移動量が小さくなるので、球軸体１３を質量の大きな鉄製とすることが好ましい。
【００２１】
（ｂ）は、下向きの垂直方向成分への対応を示す。下向きの垂直方向成分に対しては、球軸体１３が下方に移動しようとするが、弾性体１５が縮み、その弾性力によって移動が止められる。この際、弾性体１５から下板１１ａに力が加わり、ホルダ１１を介して接合部分に伝達される。この力は、サンドバッグ２に加えられた強い衝撃力に比して、ある程度の時間長を持って継続する比較的弱い力となる。
なお、ボクシング等の練習にとって好ましくない垂直方向の移動を小さくするために、弾性体として３０Ｎ／ｍｍ以上の大きなバネ定数のコイルバネを用いることが好ましい。
【００２２】
（ｃ）は、水平方向成分への対応を示す。水平方向成分に対しては、球軸体１３が回動し、力が支持体に伝わらずに逃される。サンドバッグは略水平方向から打撃されることが多く、パンチやキックの衝撃力は、垂直方向成分に比して水平方向成分が大きい。このように、衝撃力の水平方向成分が支持体とホルダ１１の接合部分に伝達されない構造であることは、天井等の固定性の支持体の疲弊の進行を遅くして架台等の移動性の支持体の安定性を容易に保てるようにするために、大いに資する。
【産業上の利用可能性】
【００２３】
天井等の固定性の支持体の疲弊の進行を遅くし、架台等の移動性の支持体の安定性を容易に保てるようにするような、サンドバッグ取付具であり、多くのボクシングジムによる活用が考えられる。
【符号の説明】
【００２４】
１    サンドバッグ取付具
１１  ホルダ
１２  貫通孔
１３  球軸体
１４  座金
１５  弾性体
１６  蓋
２    サンドバッグ
３    衝撃力
【図１】
0003181634.tif 000003
【図２】
0003181634.tif 000004
【図３】
0003181634.tif 000005
【図４】
0003181634.tif 000006